(57)【要約】  表１−１〜表１−４１に記載されるＸ、Ｙ、およびＺのデカルト座標値に実質的に従うエーロフォイルプロファイルを有するタービンブレードであって、Ｘの値およびＹの値がインチ単位であり、Ｚの値は０から１までの無次元値であり、このＺの値にインチ単位のエーロフォイルの高さを掛けることによってインチ単位のＺ距離へと変換可能である。Ｘの値およびＹの値が距離であり、滑らかに連なる円弧によって接続される場合、各距離Ｚでのエーロフォイルプロファイル断面を画定する。各距離Ｚでのプロファイル断面が互いに滑らかに接合され、エーロフォイル形状を形成する。また、Ｘの値およびＹの値が第１の定数の関数として変倍され得、Ｚの値が第２の定数の関数として変倍され得る。【選択図】図２
2021534346.tif 000002
【特許請求の範囲】
【請求項１】
タービンブレードであって、前記タービンブレードが、
ブレード根本と、
前記ブレード根本から延在するプラットフォームと、
前記プラットフォームから延在するエーロフォイルと、を備え、
前記エーロフォイルがエーロフォイル形状を有し、前記エーロフォイルが、表１−１〜表１−４１に記載されるＸ、Ｙ、およびＺのデカルト座標値に実質的に従う公称のプロファイルを有し、前記Ｚの値は０から１までの無次元値であり、前記Ｚの値にインチ単位の前記エーロフォイルの高さを掛けることによってインチ単位のＺ距離へと変換可能であり、前記Ｘの値およびＹの値がインチ単位の距離であり、滑らかに連なる円弧によって接続される場合、各距離Ｚでのエーロフォイルプロファイル断面を画定し、前記Ｚ距離での前記エーロフォイルプロファイル断面が互いに滑らかに接合され、完全なエーロフォイル形状を形成する、
タービンブレード。
【請求項２】
ガスタービンエンジンの第１段タービンの一部を形成する、請求項１に記載のタービンブレード。
【請求項３】
前記タービンブレードが、前記プラットフォームの中央点から前記エーロフォイルの先端部までで測定される約７．３インチのエーロフォイルの高さを有する、請求項１に記載のタービンブレード。
【請求項４】
前記エーロフォイルに加えられるコーティングをさらに備える、請求項１に記載のタービンブレード。
【請求項５】
前記エーロフォイルの向きが前記Ｚの値に沿って延在する軸を中心として回転可能である、請求項１に記載のタービンブレード。
【請求項６】
前記Ｘの値および前記Ｙの値が第１の定数によって変倍可能であり、前記Ｚの値が第２の定数によって変倍可能である、請求項１に記載のタービンブレード。
【請求項７】
タービンブレードであって、前記タービンブレードが、
ブレード根本と、
前記ブレード根本から延在するプラットフォームと、
前記プラットフォームから延在するエーロフォイルと、を備え、
前記エーロフォイルが、前記エーロフォイルの任意の表面ロケーションに対して垂直な方向において約−０．０３３インチから＋０．０３３インチのエンベロープの範囲内のエーロフォイル形状を有し、前記エーロフォイルが、表１−１〜表１−４１に記載されるＸ、Ｙ、およびＺのデカルト座標値に実質的に従う公称のプロファイルを有し、前記Ｚの値は０から１までの無次元値であり、前記Ｚの値にインチ単位の前記エーロフォイルの高さを掛けることによってインチ単位のＺ距離へと変換可能であり、前記Ｘの値およびＹの値がインチ単位の距離であり、滑らかに連なる円弧によって接続される場合、各距離Ｚでのエーロフォイルプロファイル断面を画定し、前記Ｚ距離での前記エーロフォイルプロファイル断面が互いに滑らかに接合され、完全なエーロフォイル形状を形成する、
タービンブレード。
【請求項８】
ガスタービンエンジンの第１段タービンの一部を形成する、請求項７に記載のタービンブレード。
【請求項９】
前記タービンブレードが、前記プラットフォームの中央点から前記エーロフォイルの先端部までで測定される約７．３インチのエーロフォイルの高さを有する、請求項７に記載のタービンブレード。
【請求項１０】
前記エーロフォイルに加えられるコーティングをさらに備える、請求項７に記載のタービンブレード。
【請求項１１】
前記Ｘの値および前記Ｙの値が第１の定数によって変倍可能であり、前記Ｚの値が第２の定数によって変倍可能である、請求項７に記載のタービンブレード。
【請求項１２】
前記エーロフォイルの向きが前記Ｚの値に沿って延在する軸を中心として回転可能である、請求項１に記載のタービンブレード。
【請求項１３】
タービンであって、前記タービンが、
エンジンの中心線に沿って配置されるタービンホイールと、
前記タービンホイールに固定される複数のタービンブレードと、を備え、
前記複数のタービンブレードの各タービンブレードが、
ブレード根本と、
前記ブレード根本から径方向外側に延在するプラットフォームと、
前記プラットフォームから径方向外側に延在するエーロフォイルであって、前記エーロフォイルがエーロフォイル形状を有し、前記エーロフォイルが、表１−１〜表１−４１に記載されるＸ、Ｙ、およびＺのデカルト座標値に実質的に従う公称のプロファイルを有し、前記Ｚの値は０から１までの無次元値であり、前記Ｚの値にインチ単位の前記エーロフォイルの高さを掛けることによってインチ単位のＺ距離へと変換可能であり、前記Ｘの値およびＹの値がインチ単位の距離であり、滑らかに連なる円弧によって接続される場合、各距離Ｚでのエーロフォイルプロファイル断面を画定し、前記Ｚ距離での前記エーロフォイルプロファイル断面が互いに滑らかに接合され、完全なエーロフォイル形状を形成する、エーロフォイルと、を備える、
タービン。
【請求項１４】
ガスタービンエンジンの第１段の一部を形成する、請求項１３に記載のタービン。
【請求項１５】
前記タービンブレードが、前記プラットフォームの中央点から前記エーロフォイルの先端部までで測定される約７．３インチのエーロフォイルの高さを有する、請求項１３に記載のタービン。
【請求項１６】
前記タービンブレードが、前記エーロフォイルに加えられるコーティングをさらに備える、請求項１３に記載のタービン。
【請求項１７】
前記エーロフォイルの向きが前記Ｚの値に沿って延在する軸を中心として回転可能である、請求項１３に記載のタービン。
【請求項１８】
前記Ｘの値および前記Ｙの値が第１の定数によって変倍可能であり、前記Ｚの値が第２の定数によって変倍可能である、請求項１３に記載のタービン。
【請求項１９】
タービンであって、前記タービンが、
エンジンの中心線に沿って配置されるタービンホイールと、
前記タービンホイールに固定される複数のタービンブレードと、を備え、
前記複数のタービンブレードの各タービンブレードが、
ブレード根本と、
前記ブレード根本から径方向外側に延在するプラットフォームと、
前記プラットフォームから径方向外側に延在するエーロフォイルであって、前記エーロフォイルが、前記エーロフォイルの任意の表面に対して垂直な方向において約−０．０３３インチから＋０．０３３インチのエンベロープの範囲内のエーロフォイル形状を有し、前記エーロフォイルが、表１−１〜表１−４１に記載されるＸ、Ｙ、およびＺのデカルト座標値に実質的に従う公称のプロファイルを有し、前記Ｚの値は０から１までの無次元値であり、前記Ｚの値にインチ単位の前記エーロフォイルの高さを掛けることによってインチ単位のＺ距離へと変換可能であり、前記Ｘの値およびＹの値がインチ単位の距離であり、滑らかに連なる円弧によって接続される場合、各距離Ｚでのエーロフォイルプロファイル断面を画定し、前記Ｚ距離での前記エーロフォイルプロファイル断面が互いに滑らかに接合され、完全なエーロフォイル形状を形成する、エーロフォイルと、を備える、
タービン。
【請求項２０】
ガスタービンエンジンの第１段の一部を形成する、請求項１９に記載のタービン。
【請求項２１】
前記タービンブレードが、前記プラットフォームの中央点から前記エーロフォイルの先端部までで測定される約７．３インチのエーロフォイルの高さを有する、請求項１９に記載のタービン。
【請求項２２】
前記タービンブレードが、前記エーロフォイルに加えられるコーティングをさらに備える、請求項１９に記載のタービン。
【請求項２３】
前記エーロフォイルの向きが前記Ｚの値に沿って延在する軸を中心として回転可能である、請求項１９に記載のタービン。
【請求項２４】
前記Ｘの値および前記Ｙの値が第１の定数によって変倍可能であり、前記Ｚの値が第２の定数によって変倍可能である、請求項１９に記載のタービン。
【発明の詳細な説明】
【技術分野】
【０００１】
（関連出願の相互参照）
[0001]本出願は、参照によりその全体が本明細書に組み込まれている、２０１８年８月２１日に出願した米国非仮特許出願第１６／１０７，３６３号の優先権を主張するものである。
【０００２】
[0002]本開示は、概して、ガスタービンエンジンで使用されるためのタービンブレードに関し、より詳細には、第１段タービンブレードのための表面プロファイルに関する。
【背景技術】
【０００３】
[0003]ガスタービエンジンは、通常、軸方向シャフトを介して多段タービンに結合される多段圧縮機を備える。空気が圧縮機を通ってガスタービンエンジンに入り、圧縮機では、空気が圧縮機の後続の段を通過するときに空気の温度および圧力が増大する。次いで、圧縮空気が１つまたは複数の燃焼器まで誘導され、燃焼器で、圧縮空気が燃料源と混合されて燃焼混合物を作る。この混合物が燃焼器内で点火されて高温燃焼ガスの流れを作る。これらのガスがタービンまで誘導され、それによりタービンを回転させ、それにより圧縮機を駆動する。ガスタービンエンジンのこの出力は、タービンからの排気を介する機械的推進力であってもよいか、または軸方向シャフトの回転からの軸動力であってもよく、この場合、軸方向シャフトが発電機を駆動して電気を発生させることができる。
【発明の概要】
【発明が解決しようとする課題】
【０００４】
[0004]圧縮機およびタービンの各々が、圧縮空気の流れまたは高温燃焼ガスの流れの中まで延在するエーロフォイル（ａｉｒｆｏｉｌ）を有する複数の回転ブレードおよび固定翼を備える。各ブレードまたは翼が、圧縮機およびタービンを通過する流れに対して必要な仕事を提供するために満たさなければならない特定のセットの設計基準を有する。しかし、タービンにおいて特に一般的であるように動作環境が本質的に過酷であることを理由として、エーロフォイルの性能を最適化することが有益である。
【課題を解決するための手段】
【０００５】
[0005]本発明は、ガスタービンエンジンで使用されるための改善されたエーロフォイル構成を有するタービンブレードを開示する。より具体的には、タービンブレードが、大型のガスタービンエンジンで使用されるための第１段タービンブレードを備える。
【０００６】
[0006]本発明の実施形態で、タービンブレードが、ブレード根本（ｂｌａｄｅ  ｒｏｏｔ）、ブレード根本から延在するプラットフォーム、およびプラットフォームから延在するエーロフォイルを備える。エーロフォイルが、表１−１〜表１−４１に記載されるＸ、Ｙ、およびＺのデカルト座標値に実質的に従う、エーロフォイル形状および公称のプロファイルを有し、Ｚの値は０から１までの無次元値であり、このＺの値にインチ単位のエーロフォイルの高さを掛けることによってインチ単位のＺ距離へと変換可能である。Ｘの値およびＹの値はインチ単位の距離であり、滑らかに連なる円弧によって接続される場合、各距離Ｚでのエーロフォイルプロファイル断面を画定する。Ｚ距離でのこれらのプロファイル断面が互いに滑らかに接合され、完全なエーロフォイル形状を形成する。
【０００７】
[0007]本発明の代替的実施形態で、ブレード根本と、ブレード根本から延在するプラットフォームと、プラットフォームから延在するエーロフォイルとを備えるタービンブレードが開示され、エーロフォイルがエーロフォイル形状を有する。エーロフォイルが、表１−１〜表１−４１に記載されるＸ、Ｙ、およびＺのデカルト座標値に実質的に従う公称のプロファイルを有し、Ｚの値は０から１までの無次元値であり、このＺの値にインチ単位のエーロフォイルの高さを掛けることによってインチ単位のＺ距離へと変換可能である。Ｘの値およびＹの値はインチ単位の距離であり、滑らかに連なる円弧によって接続される場合、各距離Ｚでのエーロフォイルプロファイル断面を画定する。Ｚ距離でのこれらのプロファイル断面が互いに滑らかに接合され、完全なエーロフォイル形状を形成する。エーロフォイル形状が、１つの鋳造表面において任意の表面ロケーションに対して垂直な方向において約＋／−０．０３３インチ（０．０８３８ｃｍ）の範囲内のエンベロープ内に位置する。この許容されるプロファイルのエンベロープは、鋳造したエーロフォイルに加えられる熱バリアコーティングを考慮する場合には約＋０．０６３インチ（０．１６ｃｍ）から−０．０３３インチ（０．０８３８ｃｍ）だけ増大する。
【０００８】
[0008]本発明の別の実施形態で、エンジンの中心線に沿って配置されるタービンホイールを備えるタービンが提供され、タービンホイールがタービンホイールに固定される複数のタービンブレードを有し、各タービンブレードが、ブレード根本と、ブレード根本から径方向外側に延在するプラットフォームと、プラットフォームから径方向外側に延在するエーロフォイルとを備える。エーロフォイルが、表１−１〜表１−４１に記載されるＸ、Ｙ、およびＺのデカルト座標値に実質的に従う、エーロフォイル形状および公称のプロファイルを有し、Ｚの値は０から１までの無次元値であり、このＺの値にインチ単位のエーロフォイルの高さを掛けることによってインチ単位のＺ距離へと変換可能である。ＸおよびＹはインチ単位の距離であり、滑らかに連なる円弧によって接続される場合、各距離Ｚでのエーロフォイルプロファイル断面を画定する。Ｚ距離でのこれらのプロファイル断面が互いに滑らかに接合され、完全なエーロフォイル形状を形成する。
【０００９】
[0009]本発明の別の実施形態で、エンジンの中心線に沿って配置されるタービンホイールと、タービンホイールに固定される複数のタービンブレードとを備えるタービンが提供され、各タービンブレードが、ブレード根本と、ブレード根本から径方向外側に延在するプラットフォームと、プラットフォームから径方向外側に延在するエーロフォイルとを備える。エーロフォイルが、表１−１〜表１−４１に記載されるＸ、Ｙ、およびＺのデカルト座標値に実質的に従う、エーロフォイル形状および公称のプロファイルを有し、Ｚの値は０から１までの無次元値であり、このＺの値にインチ単位のエーロフォイルの高さを掛けることによってインチ単位のＺ距離へと変換可能である。ＸおよびＹはインチ単位の距離であり、滑らかに連なる円弧によって接続される場合、各距離Ｚでのエーロフォイルプロファイル断面を画定する。Ｚ距離でのこれらのプロファイル断面が互いに滑らかに接合され、完全なエーロフォイル形状を形成し、エーロフォイル形状が、１つの鋳造表面において、任意の表面ロケーションに対して垂直な方向において＋／−０．０３３インチ（０．０８３８ｃｍ）の範囲内のエンベロープ内に位置する。
【００１０】
[0010]以下の記述および特許請求の範囲から本発明のこれらのおよび他の特徴が最良に理解され得る。
【００１１】
[0011]添付図面を参照して本発明を以下で詳細に説明する。
【図面の簡単な説明】
【００１２】
【図１】[0012]ガスタービンエンジンの一部分を示す側面図である。
【図２】[0013]本発明によるエーロフォイルを有するタービンブレード鋳物を示す斜視図である。
【図３】[0014]本発明によるエーロフォイルを有するタービンブレードを示す側面図である。
【図４】[0015]本発明によるエーロフォイルを有する図３のタービンブレードを示す反対側の側面図である。
【図５】[0016]本発明の実施形態によるタービンブレードを示す底面図である。
【図６】[0017]本発明によるエーロフォイルを有するタービンブレードを示す上面図である。
【図７】[0018]表１−１〜表１−４１のデカルト座標によって形成される一連のエーロフォイル断面を示す斜視図である。
【発明を実施するための形態】
【００１３】
[0019]本発明は、発電のために使用されるガスタービンなどの、ガスタービエンジンで使用されることが意図されるものである。したがって、本発明は、製造業者に関係なく、多様なタービン動作環境で使用され得る。
【００１４】
[0020]当業者には容易に認識されるように、このようなガスタービンエンジンは、エンジンの中心線または軸方向の中心線軸を中心として円周方向に配置される。エンジンが、圧縮機、燃焼セクション、およびタービンを有し、タービンがエンジンシャフトを介して圧縮機に結合される。当技術分野でよく知られているように、圧縮機内で圧縮される空気が燃料と混合されて燃焼セクション内で燃焼してタービン内で膨張する。圧縮機内で圧縮される空気およびタービン内で膨張する燃料混合物は、両方とも、「高温ガスストリームフロー」と称され得る。タービンが、流体の膨張に反応して回転してそれにより圧縮機を駆動するロータを有する。タービンが、翼としばしば称される、交互の列の回転タービンブレードおよび静止エーロフォイルを備える。
【００１５】
[0021]本発明の実施形態によるタービンブレードが図１〜７に示される。最初に図１を参照すると、ガスタービエンジンの一部分の断面図が描かれている。エンジンのこの一部分が、回転ブレード１および固定エーロフォイル５の交互の段を示す。図２〜４を参照すると、本発明によるおよび本発明の実施形態によるタービンブレード１０が、図２では鋳造された形態で、図３および４では機械加工された形態で、示されている。タービンブレード１０が、ブレード根本１２と、ブレード根本１２から延在するプラットフォーム１４と、プラットフォーム１４から延在するエーロフォイル１６とを有する。エーロフォイル１６が前縁１８および反対側にある後縁２０を有する。前縁１８と後縁２０との間でエーロフォイル形状に沿って、概略凹形形状を有する圧力側表面２２および概略凸形形状を有する反対側の吸込側表面２４が延在する。エーロフォイル１６が、プラットフォーム１４の反対側に位置するエーロフォイル先端部２６まで延在する。
【００１６】
[0022]エーロフォイル１６が、表１−１〜表１−４１に記載されるＸ、Ｙ、およびＺのデカルト座標値に実質的に従う公称の非被覆プロファイル（ｕｎｃｏａｔｅｄ  ｐｒｏｆｉｌｅ）を有し、Ｚの値は０から１までの無次元値であり、このＺの値にインチ単位のエーロフォイルの高さを掛けることによってインチ単位のＺ距離へと変換可能である。Ｘの値およびＹの値はインチ単位の距離であり、滑らかに連なる円弧によって接続される場合、図７に示されるように、各距離Ｚでのエーロフォイルプロファイル断面を画定する。Ｚ距離での図６に描かれるようなこれらのプロファイル断面が互いに滑らかに接合され、完全なエーロフォイル形状を形成する。
【００１７】
[0023]本明細書で開示されるタービンブレード１０が、好適には、ガスタービンエンジンの第１段タービンの一部であり、プラットフォーム１４の中央点付近からエーロフォイル１６の先端部２６までで測定される約７．３インチ（１８．５ｃｍ）のエーロフォイル高さを有する。本発明の代替的実施形態で、タービンブレード１０が、エーロフォイル１６に加えられるコーティングをさらに備える。タービン内でエーロフォイルが受けることになる温度に関してのエーロフォイルの性能を向上させるために多様なコーティングがエーロフォイル１６に加えられ得る。１つのこのようなコーティングには、加えられる最大約０．０１０インチ（０．０２５４ｃｍ）の厚さの拡散アルミニウム化物の被膜層を有する金属ＭＣｒＡｌＹがあり、ここでは、熱バリアコーティングの最大厚さが付加的な約０．０２０インチ（０．０５０８ｃｍ）の厚さである。このような許容されるコーティングは、プラットフォーム１４と先端部２６との間のエーロフォイル１６のすべての表面に加えられる。
【００１８】
[0024]タービンブレード１０の上面図および底面図が図５および６に示される。タービンブレード１０が、根本１２から先端部２６までエーロフォイル１６を通って概して径方向に延在する複数の開口部２８を有する。これらの開口部が、冷却流体の流れをタービンブレード１０の内部セクションに供給するのに使用され得る。当業者であれば理解するように、その動作温度が非常に高いことを理由として、タービンブレードの特定の段を冷却することが必要である。この冷却を実現するために多様な冷却流体が使用され得る。開口部２８が、圧縮空気、蒸気、または他の流体などの、冷却供給源に流体連通されるように設計され、タービンブレード１０の全体の有効温度を下げるためにエーロフォイル１６に流体を提供する。エーロフォイル１６は、蛇行冷却およびシャワーヘッド冷却などの多様な内部冷却構成を組み込むのに十分なサイズを有する。
【００１９】
[0025]エーロフォイルのプロファイルを決定するための表１−１〜表１−４１の値は小数点第３位まで求められて示される。表１−１〜表１−４１のこれらの値は公称の非被覆のエーロフォイルについてである。しかし、エーロフォイルのプロファイルを表１−１〜表１−４１の値から変化させ得るような一般的な製造公差も存在し、さらにはそのような変化を生じさせるようなコーティングも存在する。したがって、本発明の代替的実施形態では、上で開示したようなタービンブレード１０が提供され、ここでは、鋳造したブレードのエーロフォイル形状が任意の表面ロケーションに対して垂直な方向において＋／−０．０３３インチ（０．０８３８ｃｍ）の範囲内のエンベロープ内に位置する。つまり、タービンブレード１０のエーロフォイルの鋳造および機械加工において起こる変化などの多様な製造の問題を理由として、エーロフォイル形状の正確なロケーションは＋／−０．０３３インチ（０．０８３８ｃｍ）で上方に変化し得る。しかし、このようなエーロフォイルプロファイルの変化でも、本発明の範囲内にある第１段タービンブレードの所望の性能の範囲に完全に入るエーロフォイルが得られる。
【００２０】
[0026]また、本発明は多様なタービン用途で使用され得る。つまり、エーロフォイル１６は、多様なガスタービエンジンでの使用のためにそのプロファイルを変倍可能とするように、設計される。エーロフォイル１６を変倍するために、Ｘの値およびＹの値に１．０より大きくてもよいかまたは小さくてもよい第１の定数が掛けられ、Ｚの値に第２の定数が掛けられる。通常、Ｘの値およびＹの値には等しい定数が掛けられるが、Ｚの値には第１の定数とは異なっていてもよい第２の定数が掛けられる。
【００２１】
[0027]エーロフォイル１６を変倍することに加えて、本発明の代替的実施形態においてエーロフォイルの向きも変化し得る。より具体的には、エーロフォイルの向きが、各エーロフォイル断面から径方向外側に延在する軸を基準として回転することができるかまたはＺの値に沿う軸を基準として回転することができる。この軸はエーロフォイル１６の積み重ね方向の軸（ｓｔａｃｋｉｎｇ  ａｘｉｓ）であってもよい。当業者であれば理解するように、エーロフォイル１６の向きを回転させることにより、ブレードに対しての空気力学的負荷を再構成することが可能となり、それによりタービンブレード１０によって発生する仕事の量を変化させることができ、さらにはブレードに対しての機械的応力を変化させることができる。
【００２２】
[0028]本発明のタービンブレード１０が、多くの固有の特徴を有するように設計されたエーロフォイル１６を有する。より具体的には、タービンブレード１０が、従来技術のタービンブレードとは異なる圧力側カットバック後縁（ｐｒｅｓｓｕｒｅ  ｓｉｄｅ  ｃｕｔｂａｃｋ  ｔｒａｉｌｉｎｇ  ｅｄｇｅ）構成を有する。さらに、エーロフォイル１６が、従来技術のタービンブレードより薄い後縁２０を有する。つまり、エーロフォイル１６が、約０．２７９インチ（０．７０９ｃｍ）の後縁厚さを有する従来技術のブレードと比較すると、約０．０９３インチ（０．２３６ｃｍ）の厚さを有する後縁２０を有する。このようなより薄い後縁は、他のエーロフォイルの座標との組み合わせで、従来技術のタービンブレードと比較してより低い圧力損失をエーロフォイル１６の中間の長さ範囲のところで有するようなエーロフォイル１６を生み出すことになる。さらに、エーロフォイル全体にわたっての仕事の径方向分布が最適化されることを理由として、エーロフォイル１６での損失が約３０％低減される。
【００２３】
[0029]本発明の代替的実施形態で、エンジンの中心線に沿って配置されるタービンホイールを有するタービンが開示される。タービンホイールがタービンホイールに固定される複数のタービンブレード１０を有し、各タービンブレード１０が、ブレード根本１２と、ブレード根本１２から延在するプラットフォーム１４と、プラットフォームから延在するエーロフォイル１６とを有する。エーロフォイルが前縁１８および反対側の後縁２０を有する。前縁１８と後縁２０との間でエーロフォイル形状に沿って、概略凹形形状を有する圧力側表面２２および概略凸形形状を有する反対側の吸込側表面２４が延在する。エーロフォイルが、プラットフォーム１４の反対側に位置するエーロフォイル先端部２６まで延在する。
【００２４】
[0030]第１段タービンブレードのこの実施形態では、プラットフォーム１４の中央点がエンジンの中心線（ロータ軸）から半径に沿って配置される。エーロフォイル形状を画定するために、このロケーションが０．０００である無次元のＺの値に一致する。この点から測定されるエーロフォイル１６の高さが７．３インチ（約１８．５ｃｍ）である。
【００２５】
[0031]エーロフォイルが、表１−１〜表１−４１に記載されるＸ、Ｙ、およびＺのデカルト座標値に実質的に従う公称の非被覆プロファイルを有し、Ｚの値は０から１までの無次元値であり、このＺの値にインチ単位のエーロフォイルの高さを掛けることによってインチ単位のＺ距離へと変換可能である。Ｘの値およびＹの値はインチ単位の距離であり、滑らかに連なる円弧によって接続される場合、各距離Ｚでのエーロフォイルプロファイル断面を画定する。Ｚ距離でのこれらのプロファイル断面が互いに滑らかに接合され、完全なエーロフォイル形状を形成する。
【００２６】
[0032]本発明の別の実施形態で、上で開示したようなタービンが提供され、ここでは、タービン内に固定されるタービンブレード１０が、ブレード鋳物における任意の表面ロケーションに対して垂直な方向において＋／−０．０３３インチ（０．０８３８ｃｍ）の範囲内のエンベロープ内に位置するエーロフォイル形状を有する。つまり、タービンブレード１０のエーロフォイルの鋳造および機械加工において起こる変化などの多様な製造の問題を理由として、エーロフォイル形状の正確なロケーションは約＋／−０．０３３インチ（０．０８３８ｃｍ）で上方に変化し得る。しかし、このようなエーロフォイルプロファイルの変化でも、本発明の範囲内にある第１段タービンブレードの所望の性能の範囲に完全に入るエーロフォイルが得られる。この許容されるプロファイルのエンベロープは、最大０．０３０インチ（０．０７６２ｃｍ）の厚さの鋳造したエーロフォイルに加えられる熱バリアコーティングを考慮する場合には約＋０．０６３インチ（０．１６ｃｍ）から−０．０３３インチ（０．０８３８ｃｍ）に増大する。
【００２７】
[0033]上で考察したように、タービンブレード１０は、ガスタービンエンジンのタービンセクションの第１段で使用されるが、このような機能のみに限定されない。むしろ、エーロフォイル１６を他の動作環境で利用するのを可能にするためにエーロフォイル１６は変倍可能である。つまり、Ｘの値、Ｙの値、およびＺの値は、異なるガスタービンエンジンで使用されるためであるが等しいエーロフォイル形状を有するより大きいまたはより小さいエーロフォイルを生み出すために等しい定数の関数として変倍され得る。表１−１〜表１−４１の座標の変倍バージョンは表１−１〜表１−４１のＸ、Ｙ、およびＺの座標値によって表されるものであり、ここでは無次元のＺ座標値がインチに変換されて定数を掛けられるかまたは定数で割られる。
【００２８】
[0034]下記の表１−１〜表１−４１に与えられる座標値が本明細書で開示されるエーロフォイルのための公称のプロファイルのエンベロープを提供する。
【００２９】
【表１−１】
2021534346.tif 000003
【表１−２】
2021534346.tif 000004
【表１−３】
2021534346.tif 000005
【表１−４】
2021534346.tif 000006
【表１−５】
2021534346.tif 000007
【表１−６】
2021534346.tif 000008
【表１−７】
2021534346.tif 000009
【表１−８】
2021534346.tif 000010
【表１−９】
2021534346.tif 000011
【表１−１０】
2021534346.tif 000012
【表１−１１】
2021534346.tif 000013
【表１−１２】
2021534346.tif 000014
【表１−１３】
2021534346.tif 000015
【表１−１４】
2021534346.tif 000016
【表１−１５】
2021534346.tif 000017
【表１−１６】
2021534346.tif 000018
【表１−１７】
2021534346.tif 000019
【表１−１８】
2021534346.tif 000020
【表１−１９】
2021534346.tif 000021
【表１−２０】
2021534346.tif 000022
【表１−２１】
2021534346.tif 000023
【表１−２２】
2021534346.tif 000024
【表１−２３】
2021534346.tif 000025
【表１−２４】
2021534346.tif 000026
【表１−２５】
2021534346.tif 000027
【表１−２６】
2021534346.tif 000028
【表１−２７】
2021534346.tif 000029
【表１−２８】
2021534346.tif 000030
【表１−２９】
2021534346.tif 000031
【表１−３０】
2021534346.tif 000032
【表１−３１】
2021534346.tif 000033
【表１−３２】
2021534346.tif 000034
【表１−３３】
2021534346.tif 000035
【表１−３４】
2021534346.tif 000036
【表１−３５】
2021534346.tif 000037
【表１−３６】
2021534346.tif 000038
【表１−３７】
2021534346.tif 000039
【表１−３８】
2021534346.tif 000040
【表１−３９】
2021534346.tif 000041
【表１−４０】
2021534346.tif 000042
【表１−４１】
2021534346.tif 000043
【００３０】
[0035]本発明の好適な実施形態を開示してきたが、当業者であれば、いくつかの変形例が本発明の範囲にあることを認識するであろう。したがって、本発明の真の範囲および内容を決定するためには以下の特許請求の範囲を精読しなければならない。本発明の範囲から逸脱することなく本発明には多くの可能性のある実施形態が作られ得ることから、本明細書に記載されるかまたは添付図面に示されるすべての事項は例示であると解釈され、限定的な意味であると解釈されない、ことを理解されたい。
【００３１】
[0036]上記から、本発明が、明白であってその構造に固有のものである他の利点と併せて、本明細書において上に記載されるすべての成果および目的を達成するように良好に適合されるものである、ことが見てとれよう。
【００３２】
[0037]特定の特徴および部分的な組み合わせ（ｓｕｂｃｏｍｂｉｎａｔｉｏｎ）が有用なものであり、これらが他の特徴および部分的な組み合わせを参照することなく採用されていてもよい、ことが理解されよう。これは特許請求の範囲によって企図され、特許請求の範囲内にある。
【図１】
2021534346.tif 000044
【図２】
2021534346.tif 000045
【図３】
2021534346.tif 000046
【図４】
2021534346.tif 000047
【図５】
2021534346.tif 000048
【図６】
2021534346.tif 000049
【図７】
2021534346.tif 000050
【国際調査報告】
2021534346.tif 000051